(57)【要約】【課題】頭部が傾いたことを利用者が把握可能であるとともに、頭部が傾いた場合に置いても当該頭部を受け止めて支持可能な頭部支持具を提供する。【解決手段】頭部支持具２０ａは、受け部２３を備える。受け部２３は、利用者の頭部との間に隙間ができるように当該頭部の周囲に配置されており、利用者の頭部が接触していない状態においても位置を保持可能に構成されており、利用者の頭部が少なくとも前方に傾いた際に当該頭部を受け止めて支持する。【選択図】図３
2016137090.tif 000002
【特許請求の範囲】
【請求項１】
椅子又は車椅子に接続される頭部支持具において、
利用者の頭部との間に隙間ができるように当該頭部の周囲に配置されており、利用者の頭部が接触していない状態においても位置を保持可能に構成されており、利用者の頭部が少なくとも前方に傾いた際に当該頭部を受け止めて支持する受け部を備えることを特徴とする頭部支持具。
【請求項２】
請求項１に記載の頭部支持具であって、
椅子又は車椅子に接続され、利用者の後頭部を受けるためのヘッドレストを備え、
前記受け部は、
前記ヘッドレストから前方に延びる一対の側頭部受け部と、
利用者の頭部の前方において、一対の前記側頭部受け部同士を接続する前頭部受け部と、
を備えることを特徴とする頭部支持具。
【請求項３】
請求項１に記載の頭部支持具であって、
前記受け部は、
利用者の頭部が前方に傾いた際に当該頭部を受け止める前頭部受け部が構成される閉鎖状態と、
前記前頭部受け部を移動させることで、利用者の頭部を外部から内部に位置させることが可能な開放部が形成される開放状態と、
の間で切替可能に構成されることを特徴とする頭部支持具。
【請求項４】
請求項１に記載の頭部支持具であって、
前記受け部は、椅子又は車椅子のヘッドレストに対して独立して構成されていることを特徴とする頭部支持具。
【発明の詳細な説明】
【技術分野】
【０００１】
本発明は、主として、椅子又は車椅子に取り付けられ、利用者の頭部を支持する頭部支持具に関する。
【背景技術】
【０００２】
椅子に座って文字を書いたりパーソナルコンピュータで作業を行う際において、人によっては、自然に頭が前方に倒れてしまうことがある。特に、高齢又は病気により首の筋肉が低下した人は、食事中又はテレビ鑑賞中においても、頭が前方又は側方に倒れてしまうことがある。
【０００３】
また、自動車の座席等には、ヘッドレストレイント（以下、ヘッドレスト）が設けられている。ヘッドレストは、頭が後方に傾いた場合に頭を受け止めたり、後頭部をもたれ掛けたりするために用いられる。しかし、ヘッドレストでは、頭が前方又は側方に傾いた場合に対応することはできない。
【０００４】
特許文献１では、利用者の額に取り付けたバンドと、座席のヘッドレストと、を紐等の部材で連結する器具が開示されている。この構成により、利用者の首と頭部を安定させることができる。また、特許文献１では、バンドに代えて、アイマスク又は帽子を用いる構成も開示されている。
【０００５】
特許文献２及び３では、利用者が顎を載せるタイプの器具が開示されている。特許文献２では、利用者が膝に置いて使用する器具が開示されている。具体的には、この器具は、細長状の支柱を備えており、支柱の下端には膝に載せるための土台が配置され、支柱の上端には顎を載せるための顎受けが配置されている。特許文献３では、机に置いた状態で利用者の顎を支持する器具が開示されている。
【先行技術文献】
【特許文献】
【０００６】
【特許文献１】特開２０１４−３５３号公報
【特許文献２】特開２０１１−１９８８８号公報
【特許文献３】特許第４６４２１２７号公報
【発明の概要】
【発明が解決しようとする課題】
【０００７】
しかし、特許文献１の器具では、利用者の頭部が傾いた場合に、バンド、アイマスク、又は帽子がズレて、頭部を支持できなくなる可能性がある。また、バンド等が常に利用者の頭部の同じ位置に接触しており、かつ同じ位置で頭部を締め付けるため、利用者が不快に感じる可能性がある。
【０００８】
また、特許文献２及び３の器具では、顎が支持されるため、器具の利用中には食事又は会話が行いにくくなる。
【０００９】
更に、特許文献１から３の器具では、頭部が支持されることに利用者が慣れてしまった場合、利用者は、自身の状態を把握できなくなる。具体的にいえば、利用者は、頭部が傾かないように自力で支持できるか否かを把握できなくなる。
【００１０】
本発明は以上の事情に鑑みてされたものであり、その主要な目的は、頭部が傾いたことを利用者が把握可能であるとともに、頭部が傾いた場合においても当該頭部を受け止めて支持可能な頭部支持具を提供することにある。
【課題を解決するための手段及び効果】
【００１１】
本発明の解決しようとする課題は以上の如くであり、次にこの課題を解決するための手段とその効果を説明する。
【００１２】
本発明の観点によれば、椅子又は車椅子に接続される頭部支持具において、以下の構成が提供される。即ち、頭部支持具は、受け部を備える。受け部は、利用者の頭部との間に隙間ができるように当該頭部の周囲に配置されており、利用者の頭部が接触していない状態においても位置を保持可能に構成されており、利用者の頭部が少なくとも前方に傾いた際に当該頭部を受け止めて支持する。
【００１３】
これにより、利用者の頭部と受け部との間に隙間ができており、頭部が傾いて初めて受け部に接触するため、利用者は自身の頭部が傾いたことを把握できるとともに頭部を受け止めて支持することができる。従って、利用者は頭部が傾かないように自力で支持できるか否かを把握することができる。また、利用者は、頭部が受け部に支持された状態において頭部を動かすことにより、受け部と接触する頭部の位置を変化させることができるので、不快感を抑えることができる。
【００１４】
前記の頭部支持具においては、以下の構成とすることが好ましい。即ち、椅子又は車椅子に接続され、利用者の後頭部を受けるためのヘッドレストを備える。前記受け部は、一対の側頭部受け部と、前頭部受け部と、を備える。前記一対の側頭部受け部は、前記ヘッドレストから前方に延びる。前記前頭部受け部は、利用者の頭部の前方において、一対の前記側頭部受け部同士を接続する。
【００１５】
これにより、利用者の頭部が側方に傾いた場合であっても当該頭部を受け止めることができる。また、ヘッドレストは利用者の頭部に近い位置に設けられるため、このヘッドレストに受け部が接続されていることで、受け部の大きさを抑えることができる。
【００１６】
前記の頭部支持具においては、前記受け部は、利用者の頭部が前方に傾いた際に当該頭部を受け止める前頭部受け部が構成される閉鎖状態と、前記前頭部受け部を移動させることで、利用者の頭部を外部から内部に位置させることが可能な開放部が形成される開放状態と、の間で切替可能に構成されることが好ましい。
【００１７】
これにより、受け部の下側から利用者の頭部を内部に入れる必要がなくなるので、利用者にとって負担がない姿勢で頭部支持具の利用を開始することができる。
【００１８】
前記の頭部支持具においては、前記受け部は、椅子又は車椅子のヘッドレストに対して独立して構成されていることが好ましい。
【００１９】
これにより、既にヘッドレストがある椅子又は車椅子に対して、頭部支持具を取り付けることができる。
【図面の簡単な説明】
【００２０】
【図１】第１実施形態の頭部支持具が接続された椅子の正面図。
【図２】第１実施形態の頭部支持具が接続された椅子の側面図。
【図３】第１実施形態の頭部支持具が接続された椅子の平面図及び受け部の断面図。
【図４】第２実施形態の頭部支持具が開放状態にあるときの様子を示す平面図。
【図５】第２実施形態の頭部支持具が閉鎖状態にあるときの様子を示す平面図。
【図６】第３実施形態の頭部支持具が接続された車椅子の側面図。
【図７】第３実施形態の頭部支持具が接続された車椅子の平面図。
【発明を実施するための形態】
【００２１】
次に、図面を参照して本発明の実施形態を説明する。初めに、図１から図３までを参照して、第１実施形態の頭部支持具２０ａについて説明する。図１は、頭部支持具が接続された椅子の正面図である。図２は、頭部支持具２０ａが接続された椅子の側面図である。図３は、頭部支持具２０ａが接続された椅子の平面図である。なお、以下の説明では、椅子に座った際に利用者が向く方向を「前」とし、その反対側を「後」として説明を行う。また、鉛直方向の上方を単に「上方」として説明を行う。
【００２２】
図１から図３に示す椅子１０は、脚部１１と、座部１２と、背もたれ１３と、を備える。脚部１１は、座部１２等を所定の高さで支持するように構成されている。本実施形態の脚部１１はキャスター輪を有するが、キャスター輪を有していない椅子であっても頭部支持具２０ａを接続することは可能である。脚部１１の上方には座部１２が配置されている。
【００２３】
座部１２は、略平面状の部分であり、利用者が座るために用いられる。座部１２の後ろ側の端部には、背もたれ１３が配置されている。
【００２４】
背もたれ１３は、座部１２の後ろ側の端部近傍から上方に立ち上がるように構成されている。座部１２と背もたれ１３とは一体であっても良いし、別部材で構成されていても良い。背もたれ１３は、座部１２に座った利用者が寄り掛かるための部分である。背もたれ１３の上面には、ヘッドレストを取り付けるためのヘッドレスト取付部１４が形成されている。
【００２５】
ヘッドレスト取付部１４には、ヘッドレストを支持するアーム状の部材を取付可能な取付穴が形成されている。このヘッドレスト取付部１４に、本実施形態の頭部支持具２０ａが取り付けられる。
【００２６】
図２等に示すように、頭部支持具２０ａは、ヘッドレスト支持アーム２１と、ヘッドレスト２２と、受け部２３と、を備えている。
【００２７】
ヘッドレスト支持アーム２１は、ヘッドレスト取付部１４に挿入される。また、ヘッドレスト取付部１４は、図略の操作具を操作することで、ヘッドレスト支持アーム２１が取付穴に沿って上下方向に移動可能な状態と、ヘッドレスト支持アーム２１が上下方向に移動できないように固定する状態と、を切替可能である。この構成により、ヘッドレスト支持アーム２１を所望の位置で固定することで、ヘッドレスト２２の高さを調整することができる。ヘッドレスト支持アーム２１の上部には、ヘッドレスト２２が取り付けられている。
【００２８】
ヘッドレスト２２は、背もたれ１３の上方に位置しており、椅子１０に座った利用者が後頭部を置いておくための部材である。本実施形態のヘッドレスト２２には、受け部２３が一体的に設けられている。
【００２９】
図３（ａ）に示すように、受け部２３は、湾曲している部分を有する細長状の部材であり、利用者の頭部が傾いた場合に当該頭部を受けるための部材である。受け部２３は、芯部材３１と、弾性部材３２と、カバー３３と、から構成されている。
【００３０】
芯部材３１は、受け部２３を長手方向に垂直な平面で切った断面（図３（ａ）のＡ−Ａ断面図、図３（ｂ）を参照）において中心又はその近傍に配置されている。芯部材３１は、自重で撓まない剛性が大きい材料（金属又は樹脂等）で構成されている。そのため、受け部２３は、特許文献１のバンド等と異なり、利用者に取り付けていない状態でも位置が保持される。芯部材３１の外周には、弾性部材３２が配置されている。
【００３１】
弾性部材３２は、ウレタン又はエラストマ等の素材で構成されている。芯部材３１の外周に当該芯部材３１を覆うように弾性部材３２を配置することにより、利用者の頭部を受ける際に利用者が受ける衝撃を低減することができる。なお、弾性部材３２は、芯部材３１よりも利用者の頭部側にのみ配置されていても良い（図３（ｃ）を参照）。弾性部材３２の更に外周には、カバー３３が配置されている。
【００３２】
カバー３３は、シート状の薄い素材（布又は革等）で構成されている。カバー３３を配置することにより、利用者の頭部が受け部２３に接触した際の肌触りを良くすることができる。
【００３３】
受け部２３は、平面視（図３（ａ））でＵ字状となるように（更に詳細にはＵ字の閉じられた部分が前側になるように）配置されている。このＵ字で囲まれる空間には、利用者の頭部が位置する。ここで、受け部２３は、利用者の頭部との間に隙間ができる程度の大きさで構成されている。換言すれば、平面視において、受け部２３の内周部は、利用者の頭部の外周部よりも大きい。
【００３４】
ここで、頭部の大きさは人によって異なるので、受け部２３の大きさが異なる複数種類の頭部支持具２０ａを製造することが望まれる。例えば、予め利用者の頭部の大きさを測定し、それに応じて受け部２３を設計しても良い。あるいは、ヘッドレスト２２と受け部２３の間にスペーサを配置可能な構成として、前後方向の大きさを調整可能としても良い。更には、受け部２３を左半分と右半分の２部品で構成し、必要に応じてその間にスペーサを配置して組み立てることで、左右方向の大きさを調整可能としても良い。あるいは、左右方向の大きさ（側頭部支持幅）を調整可能とし、調整した側頭部支持幅に合うように変形可能な部材を前頭部受け部として用いることもできる。
【００３５】
次に、頭部支持具２０ａの使用方法について説明する。頭部支持具２０ａを使用する際には、予め、頭部支持具２０ａをヘッドレスト取付部１４に取り付けておく。そして、利用者は、椅子１０に座った後に、受け部２３を下からくぐるようにして、受け部２３の内部に頭部を位置させる（図３（ａ）の状態）。このとき、受け部２３の上下方向の位置は、前頭部及び側頭部の外側に位置することが好ましい。なお、本明細書において前頭部、側頭部とは、単に、頭部の前側、側方側（左側及び右側）を示しており、前頭骨、側頭骨の位置で定まるものではない。
【００３６】
また、別の観点から言えば、受け部２３の上下方向の位置は、利用者の目より上側であって、頭部を傾けた際に頭部が受け部２３の外側に出ない位置に配置されることが好ましい。図１に示す例では、受け部２３は、額と同じ高さであって、図略の耳の上端よりも上側に位置している。
【００３７】
利用者は、受け部２３の内部に頭部を入れた後、可能な限り頭部を傾けないようにする。受け部２３は、目よりも上側に配置されているので受け部２３は利用者の視線を遮らない。従って、利用者は、ＰＣ操作、テレビ鑑賞、読書等を問題なく行うことができる。また、顎が支持される構成ではないので、利用者は、食事、会話等を問題なく行うことができる。そして、本実施形態では、受け部２３と頭部との間に隙間があるので、頭部が常に締め付けられないため、利用者に与える不快感を抑えることができる。
【００３８】
ここで、利用者の頭が無意識に前方に傾いた場合、受け部２３の前側の端部（図３（ａ）の前頭部受け部３５）で頭部を受け止めることができる。また、利用者の頭が無意識に側方に傾いた場合、受け部２３の側方の部分（側頭部受け部３６）で頭部を受け止めることができる。このように、利用者は、頭部が前方又は側方に傾いたことを明確に認識できる。そのため、頭部を起こす筋力がある場合は、意識的に頭部を起こすことができる。
【００３９】
また、頭部を起こす筋力がない場合、受け部２３に頭部が支持された状態を維持することで、頭部の傾きを抑えることができる。そのため、利用者が行っている作業を継続して行うことができる。更には、受け部２３は内部に芯部材３１が配置されているので、利用者の頭部を支持した場合であっても、受け部２３の形状は略変化しない。そのため、利用者は、頭部が支持されている状態において頭部を若干傾けるだけで、受け部２３と接触する部分を変更することができる。従って、利用者の不快感を抑えることができる。
【００４０】
次に、図４及び図５を参照して、第２実施形態の頭部支持具２０ｂについて説明する。図４は、頭部支持具２０ｂが開放状態にあるときの様子を示す平面図である。図５は、頭部支持具２０ｂが閉鎖状態にあるときの様子を示す平面図である。なお、第２実施形態及び次の第３実施形態の説明においては、第１実施形態と同一又は類似の部材は説明を省略又は簡略化する場合がある。
【００４１】
上述したように、第１実施形態の頭部支持具２０ａは、使用を開始する際に、利用者が受け部２３を下からくぐる必要がある。これは、利用者の首の筋肉の程度によっては負担が大きい可能性がある。それを考慮し、第２実施形態の頭部支持具２０ｂは、開閉可能な受け部２３を有している。以下、具体的に説明する。
【００４２】
図４に示すように、頭部支持具２０ｂは、ヘッドレスト４２と、連結部材４３と、受け部４４と、を備える。ヘッドレスト４２は、ヘッドレスト２２と略同じ構成である。
【００４３】
連結部材４３は、左右一対で設けられており、ヘッドレスト４２から前方に延びるように形成された細長状の部材である。一対の連結部材４３には、それぞれ受け部４４が回転軸４５を中心として回転可能となるように取り付けられている（図５を参照）。以下では、前頭部受け部３５（受け部４４の前側の端部）同士の位置が離れて開放部が形成されている状態（図４の状態）を開放状態と称し、前頭部受け部３５同士が接触又は近接している状態（図５の実線の状態）を閉鎖状態と称する。また、一方の前頭部受け部３５には、固定部材４６が設けられている。固定部材４６は、閉鎖状態のときに図略のピンを差し込むことで、受け部４４同士が離れないようにロックすることができる。
【００４４】
頭部支持具２０ｂを使用する際は、初めに一対の受け部４４がロックされていないことを確認し、ロックされていればロックを解除する。次に、利用者は、受け部４４を開放状態にする。そして、一対の受け部４４の後側を利用者の頭部で押すか、一対の受け部４４の前側を手で閉じる等して、開放状態から閉鎖状態に変化させる。その後、図略のピンを差し込むことで、受け部４４をロックすることができる。受け部４４同士が離れないようにロックすることにより、利用者の頭部が倒れた場合に受け部４４が開放することを防止できる。
【００４５】
利用者は、頭部支持具２０ｂの利用を停止する場合、図略のピンを抜き取る。これにより、利用者は、受け部４４を手又は頭で押して受け部４４を開放状態にすることができるので、受け部４４をくぐることなく頭部支持具２０ｂの利用を停止できる。
【００４６】
このように、頭部支持具２０ｂでは、受け部４４を回転させることで、受け部４４をくぐることなく使用を開始したり停止したりすることができる。なお、受け部４４を回転させる構成は、受け部４４の内部の大きさを調整するために用いることもできる。
【００４７】
第２実施形態では、固定部材４６にピンを挿入することで一対の受け部４４を固定するが、固定する方法は任意であり、適宜変更できる。例えば、一方の受け部４４を他方の受け部４４に押し込むことでスナップフィット等により固定可能であっても良い。また、受け部４４の回転を規制する位置に規制部材を配置することで受け部４４の回転を規制する構成であっても良い。なお、固定した受け部４４を解除する方法も任意であり、例えばボタンを押すことで固定が解除される構成であっても良い。
【００４８】
第１実施形態及び第２実施形態では、頭部支持具２０ａ，２０ｂは、椅子１０のヘッドレスト取付部１４に取り付けられるが、椅子の別の位置に取付可能であっても良い。例えば、背もたれ、肘置き、脚部等に配置する構成であっても良い。
【００４９】
次に、図６及び図７を参照して、第３実施形態の頭部支持具２０ｃについて説明する。図６は、第３実施形態の頭部支持具２０ｃが接続された車椅子の側面図である。図７は、頭部支持具２０ｃが接続された車椅子の平面図である。
【００５０】
本発明の頭部支持具は、通常の椅子に限らず、車椅子にも適用することができる。第３実施形態は、頭部支持具２０ｃを車椅子５０に適用している。
【００５１】
図６に示すように、車椅子５０には、多数のフレーム５１が配置されており、このフレーム５１に様々な部品が取り付けられている。車椅子５０は、前輪５２及び後輪５３を備えている。利用者は、後輪５３に取り付けられたハンドリム５４を操作したり、他人に手押しハンドル５５を持って押してもらったりすることで、車椅子５０を走行させることができる。
【００５２】
また、車椅子５０には、利用者が足を置くための足置き５６と、肘を置くための肘置き５７と、を備えている。肘置き５７の下側には、利用者の衣服が後輪５３に巻き込まれないようにするためのサイドガード５８が配置されている。
【００５３】
また、車椅子５０は、背もたれ５９の上方にヘッドレスト６０が取り付けられている。なお、ヘッドレスト６０は高さの調整が可能であっても良いし、不可能であっても良い。図７に示すように、左右の手押しハンドル５５の近傍のフレーム５１同士は連結フレーム６１によって接続されている。連結フレーム６１には、高さ調整機構６２を介して頭部支持具２０ｃが取り付けられている。
【００５４】
高さ調整機構６２は、連結フレーム６１と、頭部支持具２０ｃの受け部支持アーム７１と、を連結している。また、高さ調整機構６２は、固定ハンドル６３を回すことで、連結フレーム６１に対して受け部支持アーム７１の上下方向の位置を固定したり、その固定を解除したりすることができる。この構成により、頭部支持具２０ｃの高さをヘッドレスト６０とは独立して調整することができる。
【００５５】
受け部支持アーム７１の上端近傍には、ベース部７２が取り付けられている。頭部支持具２０ｃの受け部７３は、ヘッドレスト６０ではなく受け部支持アーム７１に支持される。
【００５６】
ベース部７２は、左右方向の中央の下面において、受け部支持アーム７１に接続されている。ベース部７２は、長手方向が左右方向と一致している部材である。ベース部７２の両端には、受け部７３が配置されている。なお、受け部７３の形状は第１実施形態と同様である。
【００５７】
第３実施形態では、ヘッドレスト６０を備える車椅子に頭部支持具２０ｃを適用しているが、ヘッドレスト６０を備えない椅子又は車椅子に頭部支持具２０ｃを適用することもできる。この場合、後方に自由に頭を動かせる形態を実現できる。
【００５８】
以上に説明したように、頭部支持具２０ａ，２０ｂ，２０ｃは、受け部２３，４４，７３を備える。受け部２３，４４，７３は、利用者の頭部との間に隙間ができるように当該頭部の周囲に配置されており、利用者の頭部が接触していない状態においても位置を保持可能に構成されており、利用者の頭部が少なくとも前方に傾いた際に当該頭部を受け止めて支持する。
【００５９】
これにより、利用者の頭部と受け部２３，４４，７３との間に隙間ができており、頭部が傾いて初めて受け部２３，４４，７３に接触するため、利用者は自身の頭部が傾いたことを把握できる。従って、利用者は頭部が傾かないように自力で支持できるか否かを把握することができる。また、利用者は、頭部が受け部２３，４４，７３に支持された状態において頭部を動かすことにより、受け部２３，４４，７３と接触する頭部の位置を変化させることができるので、不快感を抑えることができる。
【００６０】
また、第１実施形態の頭部支持具２０ａでは、椅子１０に接続され、利用者の後頭部を受けるためのヘッドレスト２２を備える。受け部２３は、一対の側頭部受け部３６と、前頭部受け部３５と、を備える。一対の側頭部受け部３６は、ヘッドレスト２２から前方に延びる。前頭部受け部３５は、利用者の頭部の前方において、一対の側頭部受け部３６同士を接続する。
【００６１】
これにより、利用者の頭部が側方に傾いた場合であっても当該頭部を受け止めることができる。また、ヘッドレスト２２は利用者の頭部に近い位置に設けられるため、このヘッドレスト２２に受け部２３が接続されていることで、受け部２３の大きさを抑えることができる。
【００６２】
また、第２実施形態の頭部支持具２０ｂでは、受け部４４は、利用者の頭部が前方に傾いた際に当該頭部を受け止める前頭部受け部３５が構成される閉鎖状態と、前頭部受け部３５を移動させることで、利用者の頭部を外部から内部に位置させることが可能な開放部が形成される開放状態と、の間で切替可能に構成される。
【００６３】
これにより、受け部４４の下側から利用者の頭部を内部に入れる必要がなくなるので、利用者にとって負担がない姿勢で頭部支持具２０ｂの利用を開始することができる。
【００６４】
また、第３実施形態の頭部支持具２０ｃでは、受け部７３は、車椅子５０のヘッドレスト６０に対して独立して構成されている。
【００６５】
これにより、既にヘッドレスト６０がある車椅子５０に対して、頭部支持具２０ｃを取り付けることができる。特に、第３実施形態の頭部支持具２０ｃは、ヘッドレスト６０の高さと受け部７３の高さとを個別に設定できるので、利用者の体格や好みに応じてきめ細かい設定を行うことができる。
【００６６】
以上に本発明の好適な実施の形態を説明したが、上記の構成は例えば以下のように変更することができる。
【００６７】
第１から第３の実施形態で説明した頭部支持具２０ａ，２０ｂ，２０ｃは一例であり、各部の構成を適宜変更できる。例えば、受け部を上下に回転可能とし、受け部を上方に回転させた状態で利用者が着席し、着席後に受け部を下方に回転することで使用を開始する構成であっても良い。また、芯部材３１は、自重では撓まない程度の肌触りの良い弾性部材であっても良い。この場合、弾性部材３２及びカバー３３を省略することができる。また、芯部材３１は、自重では撓まないが、利用者が力を加えることで変形できる素材（ポリエチレンテレフタレート等の樹脂）であっても良い。
【００６８】
第１から第３の実施形態では、利用者の頭部の前方だけでなく側方（左方及び右方）を覆う構成であるが、左方及び右方のうち少なくとも何れかのみを覆う構成であっても良い。例えば、左方及び右方のうち一方のみを覆う場合、受け部が左側又は右側の１箇所で支持される片持ち型（例えばＪ字状）の構成にすることができる。
【００６９】
第１から第３の実施形態で説明した頭部支持具２０ａ，２０ｂ，２０ｃは、様々な椅子又は車椅子に適用することができる。例えば、第１及び第２実施形態で説明した頭部支持具２０ａ、２０ｂを車椅子に適用しても良いし、第３実施形態で説明した頭部支持具２０ｃを椅子に適用しても良い。なお、本明細書において、「椅子」には、自動車等の乗り物の座席も含まれるものとする。
【符号の説明】
【００７０】
１０  椅子
２０ａ，２０ｂ，２０ｃ  頭部支持具
２２，４２，６０  ヘッドレスト
２３，４４，７３  受け部
３１  芯部材
３２  弾性部材
３３  カバー
３５  前頭部受け部
３６  側頭部受け部
【図１】
2016137090.tif 000003
【図２】
2016137090.tif 000004
【図３】
2016137090.tif 000005
【図４】
2016137090.tif 000006
【図５】
2016137090.tif 000007
【図６】
2016137090.tif 000008
【図７】
2016137090.tif 000009